(57)【要約】【課題】位置及び向きが高精度に定められたＬ型同軸コネクタを備えた高周波モジュールを得ること。【解決手段】キャビティを有するモジュール本体１と、キャビティの一面であるコネクタ取り付け面１ｂに取り付けられるＬ型同軸コネクタ２とを有する高周波モジュール２０であって、Ｌ型同軸コネクタ２は、コネクタ取り付け面１ｂに当接するフランジ３と、フランジ３から突出しキャビティに挿入されるモジュール内部インタフェース５と、コンポーネントに接続されるモジュール外部インタフェース４と、フランジ３とモジュール内部インタフェース５とがなす隅部に形成されたキー７とを備え、モジュール本体１は、モジュール内部インタフェース５が挿入されるコネクタ取付穴と、コネクタ取付穴の縁に形成され、キー７と嵌合可能なキー溝８とを備える。【選択図】図４
2020145069.tif 000002
【特許請求の範囲】
【請求項１】
キャビティを有するモジュール本体と、前記キャビティの一面であるコネクタ取り付け面に取り付けられるＬ型同軸コネクタとを有する高周波モジュールであって、
前記Ｌ型同軸コネクタは、前記コネクタ取り付け面に当接するフランジと、前記フランジから突出し前記キャビティに挿入されるモジュール内部インタフェースと、コンポーネントに接続されるモジュール外部インタフェースと、前記フランジと前記モジュール内部インタフェースとがなす隅部に形成されたキーとを備え、
前記モジュール本体は、前記モジュール内部インタフェースが挿入されるコネクタ取付穴と、前記コネクタ取付穴の縁に形成され、前記キーと嵌合可能なキー溝とを備えることを特徴とする高周波モジュール。
【請求項２】
前記キーは、前記Ｌ型同軸コネクタの取り付け方向の端部が前記キー溝の側壁と接触せず、前記フランジは、前記コネクタ取り付け面に面接触していることを特徴とする請求項１に記載の高周波モジュール。
【発明の詳細な説明】
【技術分野】
【０００１】
本発明は、スタック構造が用いられる高周波モジュールに関する。
【背景技術】
【０００２】
ＲＦ（Radio  Frequency）モジュールとも称される高周波モジュールは、小型化が求められている。このため、高周波モジュールとコンポーネントとを積み重ねるスタック構造においては、高周波モジュールとコンポーネントとの接続にＬ型同軸コネクタが使用されている。Ｌ型同軸コネクタは、特許文献１に開示されている。
【０００３】
特許文献１に開示されるＬ型同軸コネクタは、位置精度を緩和するとともに、位置に自由度を持たせられるよう、コネクタ間の接合に同軸ケーブルを使用する構造となっている。
【先行技術文献】
【特許文献】
【０００４】
【特許文献１】特開２００９−３０１９０３号公報
【発明の概要】
【発明が解決しようとする課題】
【０００５】
しかしながら、特許文献１に開示されるＬ型同軸コネクタは、積み重ねた高周波モジュールとコンポーネントとを接続するために同軸ケーブルを這い回すスペース及び組立スペースが必要である。特に、アクティブフェーズドアレイアンテナのように、高周波モジュールを複数並べる構成においては、各高周波モジュールが占めるスペースが大きくなり、集積度を高めて複数の高周波モジュールを並べることが困難となる。
【０００６】
同軸ケーブルを使用せずに高周波モジュール側のコネクタとコンポーネント側のコネクタとを嵌合させる場合には、同軸ケーブル用のスペースが不要となるが、リジッドな部材であるコネクタ同士の嵌合となるために、コネクタの位置及び向きについて高い精度が求められる。特許文献１に開示されるＬ型同軸コネクタは、組立治具を用いない限り位置及び向きを高精度に定めることができないため、同軸ケーブルを使用せずにコンポーネント側のコネクタに嵌合させると、位置及び向きのずれによって嵌合不具合が発生する可能性がある。
【０００７】
本発明は、上記に鑑みてなされたものであって、位置及び向きが高精度に定められたＬ型同軸コネクタを備えた高周波モジュールを得ることを目的とする。
【課題を解決するための手段】
【０００８】
上述した課題を解決し、目的を達成するために、本発明は、キャビティを有するモジュール本体と、キャビティの一面であるコネクタ取り付け面に取り付けられるＬ型同軸コネクタとを有する高周波モジュールである。Ｌ型同軸コネクタは、コネクタ取り付け面に当接するフランジと、フランジから突出しキャビティに挿入されるモジュール内部インタフェースと、コンポーネントに接続されるモジュール外部インタフェースと、フランジとモジュール内部インタフェースとがなす隅部に形成されたキーとを備える。モジュール本体は、モジュール内部インタフェースが挿入されるコネクタ取付穴と、コネクタ取付穴の縁に形成され、キーと嵌合可能なキー溝とを備える。
【発明の効果】
【０００９】
本発明によれば、位置及び向きが高精度に定められたＬ型同軸コネクタを備えた高周波モジュールを得られるという効果を奏する。
【図面の簡単な説明】
【００１０】
【図１】本発明の実施の形態１に係る高周波モジュールの斜視図
【図２】実施の形態１に係る高周波モジュールが備えるＬ型同軸コネクタの斜視図
【図３】実施の形態１に係る高周波モジュールのモジュール本体のコネクタ取り付け面の拡大図
【図４】実施の形態１に係る高周波モジュールのモジュール本体とＬ型同軸コネクタとの接続部分の断面図
【図５】実施の形態１に係る高周波モジュールのキー及びキー溝の嵌合部の断面拡大図
【発明を実施するための形態】
【００１１】
以下に、本発明の実施の形態に係る高周波モジュールを図面に基づいて詳細に説明する。なお、この実施の形態によりこの発明が限定されるものではない。
【００１２】
実施の形態１．
図１は、本発明の実施の形態１に係る高周波モジュールの斜視図である。高周波モジュール２０は、キャビティ１ａを備えたモジュール本体１にＬ型同軸コネクタ２が取り付けられている。
【００１３】
図２は、実施の形態１に係る高周波モジュールが備えるＬ型同軸コネクタの斜視図である。Ｌ型同軸コネクタ２は、モジュール本体１のコネクタ取り付け面１ｂに当接するフランジ３と、フランジ３から突出しモジュール本体１のキャビティ１ａに挿入されるモジュール内部インタフェース５と、分配器又は電源といったコンポーネントに接続されるモジュール外部インタフェース４とを有する。モジュール内部インタフェース５の端子５ａと、モジュール外部インタフェース４の端子４ａとは、電気的に接続されている。モジュール内部インタフェース５とフランジ３とがなす隅部にはキー７が形成されている。フランジ３には、貫通穴であるボルト穴６が二つ形成されている。
【００１４】
図３は、実施の形態１に係る高周波モジュールのモジュール本体のコネクタ取り付け面の拡大図である。モジュール本体１は、外郭をなすキャビティ１ａの一面がコネクタ取り付け面１ｂとなっている。コネクタ取り付け面１ｂには、コネクタ挿入穴１０と、コネクタ取り付け用ねじ穴９とが形成されている。コネクタ取り付け用ねじ穴９は、二つ形成されており、互いの間隔は、ボルト穴６の間隔と同じである。また、コネクタ挿入穴１０の縁には、キー溝８が形成されている。キー溝８は、キー７が嵌合する大きさである。
【００１５】
図４は、実施の形態１に係る高周波モジュールのモジュール本体とＬ型同軸コネクタとの接続部分の断面図である。図５は、実施の形態１に係る高周波モジュールのキー及びキー溝の嵌合部の断面拡大図である。図５には、Ｌ型同軸コネクタ２の取り付け方向を矢印Ｃで示している。キー７はコネクタ取り付け方向の端部７ａがキー溝８の側壁に接触していない。したがって、フランジ３は、コネクタ取り付け面１ｂに面接触している。フランジ３とコネクタ取り付け面１ｂとが面接触することにより、モジュール外部インタフェース４の端子４ａの軸回りにＬ型同軸コネクタ２が回転することは防止される。また、キー７は、幅方向ではキー溝８の両方の側壁に接触している。キー７は、モジュール内部インタフェース５の端子５ａの軸回りの位置が異なる２点以上の箇所がキー溝８の側壁に接触している。例えば、キー７は、キー溝８の側壁と面接触する。したがって、モジュール内部インタフェース５の端子５ａの軸回りにＬ型同軸コネクタ２が回転することは防止される。なお、モジュール内部インタフェース５の端子５ａの軸回りの回転方向は、図１に矢印Ａで示している。また、モジュール外部インタフェース４の端子４ａの軸回りの回転方向は、図１に矢印Ｂで示している。
【００１６】
キー７を備えないＬ型同軸コネクタをキー溝８が形成されていないモジュール本体に取り付ける場合、フランジが２箇所でねじ止めされるため、Ｌ型同軸コネクタ向きが一意に定まるように見えるが、実際にはボルト穴とねじとの製造公差の関係でがたつきが生じ、Ｌ型同軸コネクタをモジュール内部インタフェースの軸回りに回転させることができてしまう。また、設計上の向きが決められていても、１８０度反転した向きでＬ型同軸コネクタをモジュール本体に取り付けることも可能であるため、Ｌ型同軸コネクタを誤った向きでモジュール本体に取り付けてしまう恐れがある。
【００１７】
実施の形態１に係る高周波モジュール２０は、キー７及びキー溝８の嵌合によりＬ型同軸コネクタ２の向きを定めるため、ボルト穴６及びねじの製造公差よりも高い精度でＬ型同軸コネクタ２の位置及び向きを決めることができる。したがって、同軸ケーブルを用いることなく他のコンポーネントが備える同軸コネクタをモジュール外部インタフェース４に直に接続してスタック構造を実現することができる。
【００１８】
また、実施の形態１に係る高周波モジュール２０は、Ｌ型同軸コネクタ２を１８０度反転させた向きでモジュール本体１に取り付けようとしても、キー７がフランジ３に干渉するため、取り付けることができない。したがって、高周波モジュール２０の組立時にＬ型同軸コネクタ２を誤った向きで取り付けてしまうミスの発生を防ぐことができる。
【００１９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２０】
１  モジュール本体、１ａ  キャビティ、１ｂ  コネクタ取り付け面、２  Ｌ型同軸コネクタ、３  フランジ、４  モジュール外部インタフェース、４ａ，５ａ  端子、５  モジュール内部インタフェース、６  ボルト穴、７  キー、７ａ  端部、８  キー溝、９  コネクタ取り付け用ねじ穴、１０  コネクタ挿入穴、２０  高周波モジュール。
【図１】
2020145069.tif 000003
【図２】
2020145069.tif 000004
【図３】
2020145069.tif 000005
【図４】
2020145069.tif 000006
【図５】
2020145069.tif 000007